(57)【要約】【課題】脚を通し易く、製造し易い吸収性物品を提供すること、及び脚回り開口部とその周辺部位の成形を、安定的且つ容易に行い、以って脚を通し易い吸収性物品の製造方法を提供することを目的とする。【解決手段】矩形状をなす不透液性のバックシート２と、前記バックシート２の略中央に配された吸収体４と、前記吸収体４の上面に配された透液性のトップシート３と、を備え、前記バックシート２の長手方向中央部を幅方向に沿って前記トップシート３側に二つ折りに折り返されて形成された折り返し部５と、前記バックシート２の長手側端部同士が接合された接合部８、８と、前記バックシート２の長手方向両端部に形成され、装着時に人体の腰回りに位置する腰回り開口部６と、前記折り曲げ部５に前記吸収体４を挟んで形成され、装着時に人体の脚回りに位置する二つの脚回り開口部７、７とを備える。【選択図】図１
2005110990.tif 000002
【特許請求の範囲】
【請求項１】
矩形状をなす不透液性のバックシートと、前記バックシートの略中央に配された吸収体と、前記吸収体の上面に配された透液性のトップシートと、を備え、
前記バックシートの長手方向中央部を幅方向に沿って前記トップシート側に二つ折りに折り返されて形成された折り返し部と、
前記バックシートの長手側端部同士が接合された接合部と、
前記バックシートの長手方向両端部に形成され、装着時に人体の腰回りに位置する腰回り開口部と、
前記折り返し部に前記吸収体を挟んで形成され、装着時に人体の脚回りに位置する二つの脚回り開口部と、
を備えることを特徴とする吸収性物品。
【請求項２】
前記バックシートの長手方向中央部近傍に、当該バックシートの幅方向に伸縮可能な弾性部材が配されたことを特徴とする請求項１記載の吸収性物品。
【請求項３】
前記バックシートの長手方向両端部近傍に、当該バックシートの幅方向に伸縮可能な弾性部材が配されたことを特徴とする請求項１又は２記載の吸収性物品。
【請求項４】
帯状に連続して搬送されるバックシート帯の幅方向略中央部に、搬送方向に所定の間隔でスリットを形成するスリット形成工程と、
連続する二つの前記スリットの間に透液性のトップシートを上面に備える吸収体を配置する吸収体配置工程と、
前記バックシート帯の長手方向中央部を幅方向に沿って前記トップシート側に二つ折りに折り返す折り返し工程と、
前記スリットの略中央部を通って前記バックシート帯の幅方向に沿って前記バックシート帯同士をライン状に接合して接合部を形成する接合工程と、
前記バックシート帯同士の接合部を前記バックシート帯の幅方向に沿って切断する切断工程と、
を備えることを特徴とする吸収性物品の製造方法。
【請求項５】
帯状に連続して搬送されるバックシート帯の幅方向略中央部に、搬送方向に所定の間隔で吸収体を配置する吸収体配置工程と、
前記吸収体を配置した前記バックシート帯の上面に、帯状に連続しているトップシート帯を重ね合わせる工程と、
連続する二つの前記吸収体の間にスリットを形成するスリット形成工程と、
前記バックシート帯の長手方向中央部を幅方向に沿って前記トップシート側に二つ折りに折り返す折り返し工程と、
前記スリットの略中央部を通って前記バックシート帯の幅方向に沿って前記バックシート帯同士をライン状に接合して接合部を形成する接合工程と、
前記バックシート帯同士の接合部を前記バックシート帯の幅方向に沿って切断する切断工程と、
を備えることを特徴とする吸収性物品の製造方法。
【請求項６】
前記バックシート帯の前記スリットを挟んで幅方向両側に弾性部材を長手方向に沿って連続的に配置する工程を備えることを特徴とする請求項４又は５に記載の吸収性物品の製造方法。
【請求項７】
前記バックシート帯の長手両側縁部に、弾性部材を連続的に配置する工程を備えることを特徴とする請求項４〜６の何れか一項に記載の吸収性物品の製造方法。
【発明の詳細な説明】
【技術分野】
【０００１】
本発明は、吸収性物品及び吸収性物品の製造方法に関する。
【背景技術】
【０００２】
従来、パンツタイプの紙おむつとしては、例えば、腰回り開口部に対して脚回り開口部が真横にあるタイプが知られている（例えば、特許文献１）。このタイプの紙おむつの腰回り開口部及び脚回り開口部には、弾性材が施されており、装着者の腰回り及び脚回りにしっかりと紙おむつを密着させることが可能で、装着者に対して安心感を与える構造となっている。
【０００３】
一方、前記タイプの紙おむつの他に、腰回り開口部の真下に脚回り開口部が配されている、いわゆるトランクスタイプの紙おむつが知られている（例えば、特許文献２及び特許文献3）。
【特許文献１】特開２００３−０４７６３１号公報
【特許文献２】特開２０００−１７０００２号公報
【特許文献３】特開２００１−２６２４０２号公報
【発明の開示】
【発明が解決しようとする課題】
【０００４】
特許文献１の紙おむつの場合、脚回り開口部が腰回り開口部に対して横向きに備わっているために、腰回り開口部から脚を入れ、脚回り開口部から出す際に、縦に入れて横から出すこととなり、脚を通しにくいという問題があった。また、このタイプの紙おむつは、その製造工程において、紙おむつを構成するシートの連続体に楕円状の開口部を形成した上でシートを短手方向に二つ折りにすることによってパンツの両側部に脚回り開口部を形成するものであり、連続体に直接大きな開口部を設けることによって、連続体が波打ってしまったり、捩れてしまったりすることで、搬送そのものが不安定になり、操業が難しいという問題があった。
一方、特許文献２や特許文献３の紙おむつの場合、腰回り開口部と脚回り開口部の開口方向が同じ向きで配されているため、紙おむつを履く際に、腰回り開口部から脚を入れ、スムーズに脚回り開口部から出すことが出来、非常に履きやすく、また他人によって履かせやすい構造となっている。
しかし、特許文献２に記載の紙おむつにおいては、その製造工程において、特許文献１と同様に、紙おむつを構成するシートの連続体に直接大きな開口部を設けるものであって、不安定であり、搬送が困難であるという問題があった。
また、特許文献３の紙おむつの場合には、その製造工程において、紙おむつを構成するいくつかのパーツを個々に成形し、それらを重ね合わせて固定し、裁断等をすることで紙おむつを製造するため、製造工程そのものが煩雑であるという問題があった。
【０００５】
そこで、本発明の課題は、脚を通し易く、且つ製造し易い吸収性物品及びこの吸収性物品の製造方法を提供することである。
【課題を解決するための手段】
【０００６】
前述した課題を解決するために、請求項１に記載の発明は、矩形状をなす不透液性のバックシートと、前記バックシートの略中央に配された吸収体と、前記吸収体の上面に配された透液性のトップシートと、を備え、前記バックシートの長手方向中央部を幅方向に沿って前記トップシート側に二つ折りに折り返されて形成された折り返し部と、前記バックシートの長手側端部同士が接合された接合部と、前記バックシートの長手方向両端部に形成され、装着時に人体の腰回りに位置する腰回り開口部と、前記折り返し部に前記吸収体を挟んで形成され、装着時に人体の脚回りに位置する二つの脚回り開口部と、を備えることを特徴とする。
これにより、腰回り開口部の真下に脚回り開口部を形成することが出来るのみならず、吸収性物品の成形に必要な接合箇所を二箇所の接合部のみとすることが可能となる。
【０００７】
請求項２に記載の発明は、請求項１に記載の吸収性物品において、前記バックシートの長手方向中央部近傍に、当該バックシートの幅方向に伸縮可能な弾性部材が配されたことを特徴とする。
これにより、脚回り部に弾性部材を配することが出来る。
【０００８】
請求項３に記載の発明は、請求項１又は２に記載の吸収性物品において、前記バックシートの長手方向両端部近傍に、当該バックシートの幅方向に伸縮可能な弾性部材が配されたことを特徴とする。
これにより、腰回り部に弾性部材を配することが出来る。
【０００９】
請求項４に記載の発明は、帯状に連続して搬送されるバックシート帯の幅方向略中央部に、搬送方向に所定の間隔でスリットを形成するスリット形成工程と、連続する二つの前記スリットの間に透液性のトップシートを上面に備える吸収体を配置する吸収体配置工程と、前記バックシート帯の長手方向中央部を幅方向に沿って前記トップシート側に二つ折りに折り返す折り返し工程と、前記スリットの略中央部を通って前記バックシート帯の幅方向に沿って前記バックシート帯同士をライン状に接合して接合部を形成する接合工程と、前記バックシート帯同士の接合部を前記バックシート帯の幅方向に沿って切断する切断工程と、を備えることを特徴とする。
これにより、バックシート帯を刳り貫いて大きな開口部を設けることなく、開口面積の少ないスリットを入れることで脚回り開口部を形成することが出来るのみならず、バックシート帯にスリットを入れ、トップシートでくるまれた吸収体を載置し、一回の折り返しと、二箇所の接合及び二箇所の切断のみで固体の吸収性物品を形成することが出来る。
【００１０】
請求項５に記載の発明は、帯状に連続して搬送されるバックシート帯の幅方向略中央部に、搬送方向に所定の間隔で吸収体を配置する吸収体配置工程と、前記吸収体を配置した前記バックシート帯の上面に、帯状に連続しているトップシート帯を重ね合わせる工程と、連続する二つの前記吸収体の間にスリットを形成するスリット形成工程と、前記バックシート帯の長手方向中央部を幅方向に沿って前記トップシート側に二つ折りに折り返す折り返し工程と、前記スリットの略中央部を通って前記バックシート帯の幅方向に沿って前記バックシート帯同士をライン状に接合して接合部を形成する接合工程と、前記バックシート帯同士の接合部を前記バックシート帯の幅方向に沿って切断する切断工程と、略中央部を通って前記バックシート帯の幅方向に切断する切断工程とを備えることを特徴とする。
これにより、バックシート帯及びトップシート帯を刳り貫いて大きな開口部を設けることなく、開口面積の少ないスリットを入れることで脚回り開口部を形成することが出来るのみならず、バックシート帯に吸収体を載置し、トップシート帯を重ね、スリットを形成し、一回の折り返しと、二箇所の接合及び二箇所の切断のみで吸収性物品を形成することが出来る。
【００１１】
請求項６に記載の発明は、請求項４又は５に記載の吸収性物品の製造方法において、前記バックシート帯の前記スリットを挟んで幅方向両側に弾性部材を長手方向に沿って連続的に配置する工程を備えることを特徴とする。
これにより、脚回り部の弾性部材を、連続的且つ一斉に施すことが出来る。
【００１２】
請求項７に記載の発明は、請求項４〜６の何れか一項に記載の吸収性物品の製造方法において、前記バックシート帯の長手両側縁部に、弾性部材を連続的に配置する工程を備えることを特徴とする。
これにより、腰回り部の弾性部材を、連続的且つ一斉に施すことが出来る。
【発明の効果】
【００１３】
請求項１に記載の発明によれば、腰回り開口部の真下に脚回り開口部を形成することが出来る。吸収性物品の成形に必要な接合箇所を二箇所の接合部のみとすることが出来る。
これにより、脚回り開口部が、腰回り開口部に対して真下に位置することとなり、脚を通し易くすることが出来、履き易いだけでなく、履かせ易さを実現することが可能となる。その上、バックシートの長手方向側端部同士を二箇所で接合するだけで吸収性物品を成形することが可能になり、曲線領域を接着したり、複数のパーツを別々に成形して接着するなどの煩雑な製造工程を踏むことなく、容易に紙おむつを製造することが出来る。
【００１４】
請求項２に記載の発明によれば、脚回り部に弾性部材を配することが出来る。
これにより、請求項１に記載の発明の効果が得られるのは当然のこと、脚回り部が装着者の脚に密着してなることとなり、フィット感を向上させるのみならず、脚回り開口部からのモレを防ぐことが出来る。
【００１５】
請求項３に記載の発明によれば、腰回り部に弾性部材を配することが出来る。
これにより、請求項１又は２に記載の発明の効果が得られるのは当然のこと、腰回り部が装着者の腰回りに密着してなることとなり、フィット感を向上させるのみならず、腰回り開口部からのモレを防ぐことが出来る。
【００１６】
請求項４に記載の発明によれば、バックシート帯を刳り貫いて大きな開口部を設けることなく、バックシート帯にスリットを入れることで脚回り開口部を形成することが出来るのみならず、トップシートでくるまれた吸収体を載置し、一回の折り返しと、二箇所の接合及び一箇所の切断のみで吸収性物品を形成することが出来る。
スリットによって形成された開口部は、刳り貫いて形成された開口部に比較して開口領域が非常に少ないため、比較的安定であり、そのため、バックシート等が蛇行したり、波打ったりすることがなく、工程における操業性を上げることが出来る。また、刳り貫いて開口部を形成する製造工程に比較して、カッターの刃持ちを良くしたり、刳り貫いて破棄する素材の無駄を抑えることによって、コストを削減することも出来る。その上、加工を施した連続体を一回折り返して二箇所を接合し、二箇所を切断するだけで吸収体が形成されるため、複数のパーツを別々に製造してそれらを組み立てるという煩雑な工程を踏むことなく、容易に吸収性物品を製造することが出来る。
【００１７】
請求項５に記載の発明によれば、バックシート帯及びトップシート帯を刳り貫いて大きな開口部を設けることなく、開口面積の少ないスリットを入れることで脚回り開口部を形成することが出来るのみならず、バックシート帯に吸収体を載置し、トップシート帯を重ね、スリットを形成し、一回の折り返しと、二箇所の接合及び二箇所の切断のみで吸収性物品を形成することが出来る。
スリットによって形成された開口部は、刳り貫いて形成された開口部に比較して開口領域が非常に少ないため、比較的安定であり、そのため、バックシート等が蛇行したり、波打ったりすることがなく、工程における操業性を上げることが出来る。また、刳り貫いて開口部を形成する製造工程に比較して、カッターの刃持ちを良くしたり、刳り貫いて破棄する素材の無駄を抑えることによって、コストを削減することも出来る。その上、加工を施した連続体を一回折り返して二箇所を接合し、二箇所を切断するだけで吸収体が形成されるため、複数のパーツを別々に製造してそれらを組み立てるという煩雑な工程を踏むことなく、容易に吸収性物品を製造することが出来る。
【００１８】
請求項６に記載の発明によれば、脚回り部の弾性部材を、複数の吸収性物品に対して連続的且つ一斉に施すことが出来る。
これにより、請求項４又は５に記載の発明の効果が得られるのは当然のこと、個々の吸収性物品毎に弾性部材を取付けたり、サインカーブ等の曲線を描いて弾性部材を設けるという煩雑な手順を踏むことなく、より容易に弾性部材を施すことが出来るのみならず、脚回りのフィット感を向上させ、脚回り開口部からのモレを防ぐことが出来る。
【００１９】
請求項７に記載の発明によれば、腰回り部の弾性部材を、複数の吸収性物品に対して連続的且つ一斉に施すことが出来る。
これにより、請求項４〜６に記載の発明の効果が得られるのは当然のこと、腰回りのフィット感を向上させ、腰回り開口部からのモレを防ぐことが出来る。
【発明を実施するための最良の形態】
【００２０】
以下、本発明の実施形態を、図面を用いて詳細に説明する。
本実施の形態においては吸収性物品としてのトランクスタイプ紙おむつを一例として説明する。
図１は、本願発明の吸収性物品を適用したトランクスタイプ紙おむつの斜視図である。図２は、本願発明の吸収性物品を適用したトランクスタイプの紙おむつの組立て構成を説明するための説明図である。図３は、本願発明の吸収性物品の製造方法を適用した製造方法の製造ラインの一例を示した説明図である。
【００２１】
図１及び図２に示すように、トランクスタイプ紙おむつ（以下、「紙おむつ」と言う）１は、紙おむつ１装着時に外側に接する面側に位置し、不透液性のバックシート２を構成する第一の外面シート２ａと、同じくバックシート２を構成し、第一の外面シート２ａと反対側の面であって、紙おむつ１装着時に人体に接する面側に位置する第二の外面シート２ｂと、紙おむつ１装着時に、体液が排出される面に接する位置に設けられた透液性のトップシート３と、トップシート３によって包装された吸収体４からなり、矩形状であるバックシート２の長手方向中央部を吸収体４が内側に位置するように幅方向に沿って折り返すことによって形成された、折り返し部５と、一箇所の腰回り開口部６、二箇所の脚回り開口部７、７及び接合部８、８を有する。
【００２２】
バックシート２を構成する第一の外面シート２ａと第二の外面シート２ｂは、吸収体４等で吸収した体液を下着にもたらさないためのシートであり、不透液性を有する素材を用いる。
例えば不透液性シートとしては、ポリエチレン等の少なくとも遮水性を有するシート材であり、ムレ防止の観点から透湿性を有するシート材であることが好ましい。この遮水性と透湿性とを具備するシート材としては、例えば、ポリエチレンやポリプロピレン等のオレフィン系樹脂中に無機充填剤を溶融混練してシートを成形した後、一軸または二軸方向に延伸することにより得られる微多孔性シート材が好適に用いられる。
【００２３】
第一の外面シート２ａと第二の外面シート２ｂとの間には、弾性部材９１、９２が挟み込まれている。弾性部材９１、９２として、例えば糸ゴムが利用出来る。腰回り開口部６を形成する腰回り部６０に複数本の糸ゴム９１・・・が配されており、脚回り開口部７、７を形成する脚回り部７０，７０に複数本の糸ゴム９２・・・が施されている。これらの糸ゴム９１・・・及び９２・・・が施されていることにより、腰回り部６０及び脚回り部７０で紙おむつ１が好適に装着者の腰回り及び脚回りに密着することとなり、フィット感を上げることが実現するのみならず、腰回り開口部６及び脚回り開口部７、７からのモレを防ぎ、使用感を向上させることが出来る。
【００２４】
トップシート３は、紙おむつ１を装着した際に人体に接する面に設けられ、体液を受けて、吸収体４まで輸送する役割を果たす、透液性のシートである。
透液性シートとしては、例えば、有孔または無孔の不織布や、多孔性プラスチックシートなどにより形成されるものが挙げられる。不織布は、繊維を織ったり編んだりすることなく、「繊維どうしを化学的方法、機械的方法または、それらの組み合わせにより、結合や絡み合せを行った構造物」であり、不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、乾式法、湿式法、スパンレース法、スパンボンド法、サーマルボンド法、メルトブロー法、ニードルパンチ法、或いはこれらを組み合わせた方法等によって不織布を製造することができる。
透液性であるトップシート３に多数の透孔を形成した場合には、尿などの体液がより速やかに吸収されるようになり、ドライタッチ性に優れたものとなる。
【００２５】
吸収体４は、紙おむつ１の使用時に体液としての尿等の水様成分を吸収する働きを成すものであり、綿やパルプ等の吸収性素材や、繊維或いはフィルム等のシート状基材と高吸収性ポリマーのような高吸水性樹脂とが組み合わされて形成された吸収体コア（図示略）が、透液性のクレープ紙（図示略）により覆われて構成されている。単層構造であっても良いし、複数層に分かれた構造でも構わない。吸収体４は、人体の腹側部から両脚の間を通り背側部に亘る位置に装着されている。
【００２６】
以下に、折り返し部５、腰回り開口部６及び脚回り開口部７、７、接合部８、８について併せて説明する。
【００２７】
折り返し部５は、矩形状のバックシート２の長手方向中央部を幅方向に沿って吸収体４が内側になるように折り返すことによって形成されたもので、折り返すことによって、本願発明の紙おむつ１は容易に成形することが出来る。
つまり、図２に示すように、矩形状のバックシート２の長手方向中央部に、幅方向に沿って二箇所のスリット７７、７７が形成され、当該スリット７７、７７の間にトップシート３で包装された吸収体４が載置された上で（図２（ａ））、バックシート２が、吸収体４が内側に位置する様に、長手方向に折り返されて（図２（ｂ））折り返し部５が形成される。そして、バックシート２の長手方向両側縁部同士が重ね合わせられ（図２（ｃ））、重なったバックシート２の長手両側縁部同士が、例えばホットメルトやヒートシール、超音波シールなどにより接合される（図２（ｄ））ことによって、接合部８、８が形成され、同時に、腰回り開口部６、脚回り開口部７、７が形成される。
つまり、例えば股下部、腹側部、背側部といった複数のパーツを集めてそれらをパーツ毎に接合したり、各開口部について個別に形成したりすることなく、折り返し部５及び二箇所の接合部８、８を形成することによって、腰回り開口部６及び二箇所の脚回り開口部７、７が構成されることとなる。つまり、一回折り返して接合部８、８を形成することによって、容易にトランクスタイプの紙おむつとしての形状を成すことが可能になる。
【００２８】
また、脚回り開口部７、７を形成するスリット７７、７７は、バックシート２の長手方向中央部に、その幅方向に沿って、つまり、腰回り開口部６を形成するバックシート２の長手方向両側縁部と平行になるよう設けたため、腰回り開口縁部６１及び脚回り開口縁部７１、７１はほぼ平行してなる。さらに、紙おむつ１は、矩形状のバックシート２を折り返し、形成したので、その長手方向中央部を幅方向に沿って折り返した紙おむつ１も、矩形状を成すことは当然であって、従って、腰回り開口部６の真下に脚回り開口部７、７を形成することが可能になる。
紙おむつ１がこのような構造をとることによって、装着者が紙おむつ１を装着する際に、腰回り開口部６から脚を入れて、真っ直ぐに脚回り開口部７、７に通すことが出来、指をひっかけたりすることがなく、途中で脚の向きを変える必要もないため、履きやすく、また履かせ易い構造となる。
【００２９】
次に、本発明に係る吸収性物品の一例であるトランクスタイプの紙おむつ１の製造方法について説明する。
【００３０】
紙おむつ１は、図３に示すように、連続する帯状のシート帯から製造される。
具体的には、バックシート２を構成する第一の外面シート２ａの、帯状のシート基材（以下、「第一のシート基材」という）２２ａの、短手方向の寸法を二分し、長手方向に対して平行である中心線の両側部近傍に、複数本の弾性部材９２・・・を、長手両側縁部近傍に、複数本の弾性部材９１・・・を配し、ホットメルト等で固定する。弾性部材としては、糸ゴムなどが利用可能である。次に、第二の外面シート２ｂの、帯状のシート基材（以下、「第二のシート基材」という）２２ｂを第一のシート基材２２ａ上に、弾性部材９１、９２を挟み込むように重ね、ホットメルトやヒートシール、超音波シールなどで第一のシート基材２２ａと第二のシート基材２２ｂを接着し、二層から成る一枚のシート帯（以下、「バックシート帯」という）２２ｃを構成する。
【００３１】
次いで、バックシート帯２２ｃの、短手方向の寸法を二分し、長手方向に対して平行である中心線に沿って、一定間隔毎にスリット７７を形成する（スリット形成工程）。
【００３２】
ここで、このスリット７７が、脚回り開口部７を形成することとなるのだが、バックシート帯２２ｃ上に大きな開口部を空けることなく、開口領域の少ないスリットを設けることで脚回り開口部７を形成することが可能になり、バックシート帯２２ｃそのものの安定性が増し、操業しやすくすることが出来るのである。
【００３３】
次に、隣り合うスリット７７、７７の間にトップシート３で包装された吸収体４を載置する（吸収体配置工程）。吸収体４の形状は中央が幅狭の砂時計形状であり、吸収体４の長手方向と、連続シート２２ｃの幅方向が平行となるように載置する。バックシート帯２２ｃとトップシート３で包装された吸収体４とをホットメルト等により接着、固定する。
ここで、吸収体４の載置箇所に弾性部材９１、９２が施されていると、弾性部材９１、９２の弾性力によって吸収体４が縮こまってしまうため、事前に該当箇所の弾性部材９１、９２を切断する。弾性部材９１、９２の切断は吸収体４の載置前、載置後どちらでも構わないがいずれにしても吸収体４が縒れたり捩れたりすることのないよう処理する。
【００３４】
本実施の形態において、吸収体４は、吸収体コア（図示略）を透液性のクレープ紙（図示略）により覆い、さらに透液性のトップシート３で全体を包み込んだ構成であるが、例えば吸収体４のバックシート帯２２ｃとの接着面に不透液性のシートが配されていても良く、バックシート帯２２ｃに固定される面と反対の面である、人体と接する面が透液性を有すれば良い。また、吸収体４は隣り合うスリット７７の間に等間隔で載置されているため、バックシート帯２２ｃの中心線上ではスリット７７と吸収体４が交互に配されている構造となる。
【００３５】
次に、バックシート帯２２ｃの一方の長手側縁部２３を、吸収体４が内側に位置するように折り返し（折り返し工程）、他方の長手側縁部２４に重ね合わせる。折り返したバックシート帯２２ｃを、スリット７７の略中央部を通ってバックシート帯２２ｃの幅方向に沿ってヒートシール等により、第二の基材シート２２ｂを介してライン状で全体を接合し、接合部８を形成する（接合工程）。全てのスリット７７で同様にバックシート帯２２ｃを接合した上で、接合部８においてバックシート帯２２ｃを幅方向に沿って切断し（切断工程）、個々の紙おむつを形成する。
ここで、ライン状で全体を接合し、とは、所定幅を有してバックシート同士を接合することを意味し、所定幅とは、接合後切断されて形成される二箇所の接合部８が、いずれも確実に接合されてなることを満たす程度の幅を指す。
【００３６】
上記のような製造方法により、紙おむつ１に脚回り開口部７、７を形成するためにバックシート帯２２ｃを刳り貫いて大きな開口部を形成することなく、中心線に沿って形成したスリット７７のみで脚回り開口部７，７形成することが可能となる。
さらに、腰回り開口部６を形成するバックシート帯２２ｃの長手両側縁部と、脚回り開口部７、７を形成するスリットを略沿って施したバックシート帯２２ｃの長手方向中心線とが平行であることから、腰回り開口部６と脚回り開口部７、７はその開口方向を同じくし、且つ腰回り開口部６の真下に脚回り開口部７、７が配されることとなる。
【００３７】
さらに、弾性部材を施す脚回り部６０が、バックシート帯２２ｃ上で平行に連なっているために、弾性部材９１、９２を第一の基材シート２２ａ上に載置し、固定するという一回の作業で取り付けることが可能となる。
【００３８】
以上、説明した実施形態１に係る紙おむつ１及び紙おむつ１の製造方法によれば、腰回り開口部６の真下に脚回り開口部７、７が設けられることによって、装着者が紙おむつ１を装着する際に、腰回り開口部６から脚を入れて、真っ直ぐに脚回り開口部７、７に通すことが出来、指をひっかけたりすることがなく、途中で脚の向きを変える必要がないため、履きやすく、また履かせ易い構造とすることが可能となり、装着者の着脱の負担を軽減することが出来る。
折り返し部５及び二箇所の接合部８、８を形成することによって、腰回り開口部６及び二箇所の脚回り開口部７、７が構成され、容易にトランクスタイプの紙おむつとしての形状を成すことが可能になる。
脚回り開口部６を形成するにあたっては、バックシート帯２２ｃに、開口領域が小さいスリット７７を入れることで足りるので、刳り貫いて大きな開口部を形成するのに比較して、安定し、第一のシート基材２２ａや第二のシート基材２２ｂによる波打ちや、捩れといった問題を発生しづらく、操業し易くすることが出来る。
【００３９】
また、スリット形成工程と吸収体配置工程の順番は、本実施の形態の様に、スリット形成工程、吸収体配置工程としても良いし、吸収体配置工程をスリット形成工程の前に設けても構わない。
さらに、折り返し工程、接合工程、切断工程の工程上の順番についても同様に、本実施の形態の様に、折り返し工程、接合工程、切断工程としても良いし、切断工程、折り返し工程、接合工程としても構わず、また、折り返し工程、切断工程、接合工程としても良い。つまり、既存のラインを大幅に改良することなく本願発明の吸収性物品を製造するべく、工程の順序は適宜変更して構わない。
【００４０】
尚、本実施の形態では、バックシート帯２２ｃ上にトップシート３でくるまれた吸収体４を配置することを吸収体配置工程としたが、例えば、第一の外面シート２２ａ上に吸収体４を配置し、その上面からトップシート３を構成するトップシート帯を重ねて吸収体配置工程としても良い。その場合、スリット形成工程は、吸収体配置工程の後に設定する必要がある。また、その後の折り返し工程、接合工程、切断工程については前述の通り、任意の順序で実施して良い。
【００４１】
また、弾性部材としては、糸ゴム等のゴム製に限らず、ポリウレタン製などでも良く、弾性糸であればよい。
【図面の簡単な説明】
【００４２】
【図１】本願発明の吸収性物品を適用したトランクスタイプ紙おむつの斜視図である。
【図２】図１のトランクスタイプの紙おむつの構成を説明するための説明図である。
【図３】本願発明の吸収性物品の製造方法を適用した製造方法の製造ラインの一例を示した説明図である。
【符号の説明】
【００４３】
１      トランクスタイプ紙おむつ
２      バックシート
２ａ    第一の外面シート
２ｂ    第二の外面シート
３      トップシート
４      吸収体
５      折り返し部
６      腰回り開口部
７      脚回り開口部
８      結合部
２２ｃ  バックシート帯
６０    腰回り部
６１    腰回り開口縁部
７０    脚回り部
７１    脚回り開口縁部
【図１】
2005110990.tif 000003
【図２】
2005110990.tif 000004
【図３】
2005110990.tif 000005